(57)【特許請求の範囲】
【請求項１】
定着具を適宜間隔ごとに設置した堰板でスラブ型枠を形成し、該スラブ型枠に、格子状の下部スラブ筋をスペーサーを介して配筋し、該下部スラブ筋の格子部に、下部を挿入して球形の軽量材を配設し、該軽量材の上部に格子状の上部スラブ筋を配筋して、その格子部に軽量材の上部を挿入し、該上部スラブ筋を前記定着具に固定して軽量材を上下部スラブ筋で挟んだ後、型枠内にコンクリートを打設することを特徴とするスラブの構築方法。
【請求項２】
スラブ型枠の堰板に適宜間隔ごとに定着具を設置するとともに、格子状の下部スラブ筋をスペーサーを介して配筋し、該下部スラブ筋の格子部に、下部を挿入して球形の軽量材を配設し、該軽量材の上部に格子状の上部スラブ筋を配筋して、その格子部に軽量材の上部を挿入し、該上部スラブ筋を前記定着具に固定して軽量材を上下部スラブ筋で挟んだ後、型枠内にコンクリートを打設することを特徴とするスラブの構築方法。
【請求項３】
定着具は、堰板の内面に固定したナットと、該ナットに堰板の外面から座金を介してねじ込むボルトとからなり、前記ナットにはリングが設けられたことを特徴とする請求項１または２に記載のスラブの構築方法。
【請求項４】
ボルトは、蝶ボルトまたはアイボルトであることを特徴とする請求項３に記載のスラブの構築方法。
【請求項５】
定着具は、堰板の内面に固定したコーンに堰板の外面から締付具がねじ込まれた下部定着具と、上面に設置されて上部スラブ筋を下側に押さえ込む上部定着具と、これら上下の定着具を連結するセパレーターとから構成されたことを特徴とする請求項１または２に記載のスラブの構築方法。
【請求項６】
定着具は、堰板の内面に固定した長ナットに堰板の外面から座金を介してボルトがねじ込まれた下部定着具と、上面に設置されて上部スラブ筋を下側に押さえ込む上部定着具と、これら上下の定着具を連結する連結ボルトとから構成されたことを特徴とする請求項１または２に記載のスラブの構築方法。
【請求項７】
連結ボルトには位置決め用ナットが設けられたことを特徴とする請求項６に記載のスラブの構築方法。
【請求項８】
上部定着具は上部スラブ筋を押さえる押圧板と、該押圧板の上側にあって押圧板の変形を防止する補強板とからなることを特徴とする請求項６に記載のスラブの構築方法。
【請求項９】
上部定着具は断面コ字形であることを特徴とする請求項６に記載のスラブの構築方法。
【請求項１０】
長ナットに座金を介してボルトがねじ込まれた下部定着具を設けたスラブ型枠に、格子状の下部スラブ筋を配筋し、該下部スラブ筋の格子部に軽量材を配設し、該軽量材の上部に上部スラブ筋を配筋し、該上部スラブ筋上面の上部定着具と下部定着具とを連結ボルトで連結して型枠内にコンクリートを打設してスラブを形成し、該スラブの下面に位置した長ナットに吊り治具を取り付けて吊り天井を形成することを特徴とする天井の構築方法。
【発明の詳細な説明】
【０００１】
【発明の属する技術分野】
本発明はスラブの構築方法および天井の構築方法に関するものである。
【０００２】
【従来の技術】
近年、図７の（１）に示すように、軽量化を図るために軽量材３４を埋設した中空のスラブ３５が構築されている。このスラブ３５を現場打ちコンクリートで構築する場合は、コンクリート３６の打設時における、軽量材３４の浮き上がりを抑える必要があり、その方法として軽量材３４の上下部を格子状の上下スラブ筋３７、３８の格子部３９に挿入していた。そこで、同図の（２）に示すような止め金物４０を利用して、軽量材３４の浮き上がりを抑える方法が考えられている。
【０００３】
【発明が解決しようとする課題】
しかし、上記のような軽量材の浮き上がり抑える方法は下記の問題があった。
▲１▼  止め金物が羽根板ボルトを利用しているため、堰板解体時におけるボルトの撤去に専用の治具が必要であった。
▲２▼  引抜力に対する反力を堰板の小さなエリアでとるため、その部分が変形しやすかった。
▲３▼  羽根板ボルトが高価であった。
【０００４】
本発明は上記のような問題に鑑みてなされたものであり、その目的は、軽量材の浮き上がりを効果的に抑えることができるスラブの構築方法を提供することである。
【０００５】
以上の課題を達成するためのスラブの構築方法は、定着具を適宜間隔ごとに設置した堰板でスラブ型枠を形成し、該スラブ型枠に、格子状の下部スラブ筋をスペーサーを介して配筋し、該下部スラブ筋の格子部に、下部を挿入して球形の軽量材を配設し、該軽量材の上部に格子状の上部スラブ筋を配筋して、その格子部に軽量材の上部を挿入し、該上部スラブ筋を前記定着具に固定して軽量材を上下部スラブ筋で挟んだ後、型枠内にコンクリートを打設することを特徴とする。また定着具は、堰板の内面に固定したナットと、該ナットに堰板の外面から座金を介してねじ込むボルトとからなり、前記ナットにはリングが設けられたことを含む。またボルトは、蝶ボルトまたはアイボルトであることを含む。また定着具は、堰板の内面に固定したコーンに堰板の外面から締付具がねじ込まれた下部定着具と、上面に設置されて上部スラブ筋を下側に押さえ込む上部定着具と、これら上下の定着具を連結するセパレーターとから構成されたことを含む。また定着具は、堰板の内面に固定した長ナットに堰板の外面から座金を介してボルトがねじ込まれた下部定着具と、上面に設置されて上部スラブ筋を下側に押さえ込む上部定着具と、これら上下の定着具を連結する連結ボルトとから構成されたことを含む。また連結ボルトには位置決め用ナットが設けられたことを含む。また上部定着具は上部スラブ筋を押さえる押圧板と、該押圧板の上側にあって押圧板の変形を防止する補強板とからなることを含む。また上部定着具は断面コ字形であることを含むものである。
またスラブの構築方法は、スラブ型枠の堰板に適宜間隔ごとに定着具を設置するとともに、格子状の下部スラブ筋をスペーサーを介して配筋し、該下部スラブ筋の格子部に、下部を挿入して球形の軽量材を配設し、該軽量材の上部に格子状の上部スラブ筋を配筋して、その格子部に軽量材の上部を挿入し、該上部スラブ筋を前記定着具に固定して軽量材を上下部スラブ筋で挟んだ後、型枠内にコンクリートを打設することを特徴とする。また定着具は、堰板の内面に固定したナットと、該ナットに堰板の外面から座金を介してねじ込むボルトとからなり、前記ナットにはリングが設けられたことを含む。またボルトは、蝶ボルトまたはアイボルトであることを含む。また定着具は、堰板の内面に固定したコーンに堰板の外面から締付具がねじ込まれた下部定着具と、上面に設置されて上部スラブ筋を下側に押さえ込む上部定着具と、これら上下の定着具を連結するセパレーターとから構成されたことを含む。また定着具は、堰板の内面に固定した長ナットに堰板の外面から座金を介してボルトがねじ込まれた下部定着具と、上面に設置されて上部スラブ筋を下側に押さえ込む上部定着具と、これら上下の定着具を連結する連結ボルトとから構成されたことを含む。また連結ボルトには位置決め用ナットが設けられたことを含む。また上部定着具は上部スラブ筋を押さえる押圧板と、該押圧板の上側にあって押圧板の変形を防止する補強板とからなることを含む。また上部定着具は断面コ字形であることを含むものである。 また天井の構築方法は、長ナットに座金を介してボルトがねじ込まれた下部定着具を設けたスラブ型枠に、格子状の下部スラブ筋を配筋し、該下部スラブ筋の格子部に軽量材を配設し、該軽量材の上部に上部スラブ筋を配筋し、該上部スラブ筋上面の上部定着具と下部定着具とを連結ボルトで連結して型枠内にコンクリートを打設してスラブを形成し、該スラブの下面に位置した長ナットに吊り治具を取り付けて吊り天井を形成することを特徴とする。
【０００６】
軽量材が堰板の定着具で固定されているため、型枠内にコンクリートを打設する際の軽量材の浮き上がりを効果的に抑えることができる。座金により堰板の局部変形を防ぐことができる。また蝶ボルトおよびアイボルトにしたことにより、取り扱いが簡単になる。セパレーターを利用して軽量材の浮き上がりを抑えることができる。下部定着具を堰板に簡単に取り付けることができるとともに、上下の定着具により軽量材の浮き上がりを効果的に抑えることができる。中空スラブの構築と平行して吊り天井を簡単に構築することができる。
【０００７】
【発明の実施の形態】
以下、本発明のスラブの構築方法の実施の形態を図面に基づいて詳細に説明するが、各実施の形態において同じ構成は同じ符号を付して説明し、異なった構成にのみ異なった符号を付して説明する。
【０００８】
図１は、第１の実施の形態のスラブの構築方法を示したものである。はじめに、（１）に示すように、スラブ型枠１の堰板２に適宜間隔ごとに定着具３を設置する。この作業は堰板を支保工（図示せず）に布設する前に実施する。定着具３は、同図の（２）および（３）に示すように、リング４を備えたナット５と、該ナット５にねじ込まれる蝶ボルト６とから構成される。前記ナット５は堰板２の内面に適宜間隔ごとに設置され、堰板２の外面から座金７を介してねじ込まれた蝶ボルト６で固定されている。
【０００９】
次に、前記堰板２によってスラブ型枠１を形成し、該スラブ型枠１内にスペーサー８を介して下部スラブ筋９を格子状に配筋し、この格子部１０に軽量材１１を設置する。この軽量材１１は合成樹脂で中空かつ球状に形成され、その下部が格子部１０に挿入されている。
【００１０】
次に、これらの軽量材１１の上部に下部スラブ筋と同じ格子状の上部スラブ筋１２を配筋し、この格子部１０に軽量材１１の上部を挿入する。このように軽量材１１は上下のスラブ筋９、１２で挟まれた状態になっている。
【００１１】
次に、ナットのリング４に上部スラブ筋１２を番線１３で結束して軽量材１１を固定する。このとき軽量材１１は上部スラブ筋１２によって型枠の堰板２に固定された状態になっている。
【００１２】
このように軽量材１１が上部スラブ筋１２で固定された後に、スラブ型枠１内にコンクリート１４を打設して中空のスラブ１５を構築する。このとき、軽量材１１は堰板２に固定されているため、コンクリート１４の打設による浮き上がりを抑えることができ、前記コンクリート１４も軽量材１１間にスムーズに回り込むようになる。
【００１３】
図２は、第２の実施の形態のスラブの構築方法を示したものである。この構築方法は、はじめに（１）に示すように、スラブ型枠１の堰板２に適宜間隔ごとに下部定着具１６を設置する。この下部定着具１６は、同図の（２）および（３）に示すように、長ナット１７と、これにねじ込まれる蝶ボルト６とから構成される。前記長ナット１７は堰板２の内面に適宜間隔ごとに設置され、堰板２の外面から座金７を介してねじ込まれた蝶ボルト６で固定されている。
【００１４】
次に、前記堰板２によってスラブ型枠１を組立形成し、該スラブ型枠１にスペーサー１８を介して下部スラブ筋９を格子状に配筋し、この格子部１０に前記と同じ軽量材１１を設置し、その下部を格子部１０に挿入する。
【００１５】
次に、これらの軽量材１１の上部に下部スラブ筋９と同じ格子状の上部スラブ筋１２を配筋し、この格子部１０に軽量材１１の上部を挿入する。このように軽量材１１は上下のスラブ筋１２、９で挟まれた状態になっている。
【００１６】
次に、前記長ナット１７に、位置決めナット１９ａを備えた連結ボルト１９をねじ込み、このボルト１９に上部スラブ筋１２に設置した上部定着具２０を連結し、該上部定着具２０と位置決めナット１９ａとで上部スラブ筋１２を固定する。このとき軽量材１１は上下部スラブ筋１２、９によって堰板２に固定されている。前記の上部定着具２０は、図２の（２）および（３）に示すようなチャンネル材２１であり、ボルト挿入孔２２に連結ボルト１９が挿入されて六角ナット２３で固定されている。
【００１７】
このように軽量材１１が上部スラブ筋１２で固定された後に、図２の（５）に示すように、スラブ型枠１内にコンクリート１４を打設して中空のスラブ１５を構築する。このとき、軽量材１１は堰板２に固定されているため、コンクリート１４の打設による浮き上がりを抑えることができる。
【００１８】
なお、上記の実施の形態においては蝶ボルト６が使用されているが、これに代えてアイボルトを使用することもできる。
【００１９】
また図３および４は、他の実施の形態の上部定着具２０を示したものである。図３の上部定着具２０は、鉄筋２６間に掛け渡された押圧板２７に、この押圧板２７の変形を防ぐ断面コ字形の補強板２８が重ね合わされ、該補強板２８に連結ボルト１９がねじ込まれたものである。また図４の上部定着具２０は、鉄筋２６間にチャンネル状の押圧板２９が掛け渡され、該押圧板２９に重ね合わされた補強板２８に連結ボルト１９がねじ込まれたものである。したがって、この上部定着具２０はスラブ内におさめることができるようになる。なお、上部定着具２０は断面コ字形の鋼材のみで形成することもできる。
【００２０】
また図５は、第３の実施の形態のスラブの構築方法を示したものである。この構築方法は、コーン３０に根太または端太材３３ａを介して締付具３１がねじ込まれた下部定着具３２と、上部定着具２０とをセパレーター３３で連結したものであり、これ以外は第１および２の実施の形態の構築方法と同じ方法である。このことにより、前記コーン３０が設置された堰板２の局所変形を防ぐことができる。
【００２１】
また図６は天井の構築方法を示したものである。この構築方法は、まず、第２の実施の形態と同じ方法でスラブ１５を構築する。このスラブ１５には下部定着具１６の長ナット１７がインサート金具として設けられているため、この長ナット１７に吊り治具２４を取り付けると吊り天井２５が構築できる。このように軽量材１１の浮き上がりを抑える下部定着具１６の長ナット１７がインサート金具となるので、吊り天井２５を簡単に形成することができるようになる。
【００２２】
【発明の効果】
軽量材が堰板の定着具で固定されているため、型枠内にコンクリートを打設する際の軽量材の浮き上がりを効果的に抑えることができる。
【００２３】
堰板の布設前に定着具を設置することができる。
【００２４】
座金により堰板の局部変形を防ぐことができる。
【００２５】
蝶ボルトおよびアイボルトにしたことにより、取り扱いが簡単になる。
【００２６】
セパレーターを利用して軽量材の浮き上がりを抑えることができる。
【００２７】
下部定着具を堰板に簡単に取り付けることができるとともに、上下の定着具により軽量材の浮き上がりを効果的に抑えることができる。
【００２８】
中空スラブの構築と平行して吊り天井を簡単に構築することができる。
【図面の簡単な説明】
【図１】   第１の実施の形態のスラブの構築方法を示し、（１）は定着具で軽量材を型枠に定着した断面図、（２）および（３）は定着具の断面図、（４）は型枠内にコンクリートを打設した断面図である。
【図２】第２の実施の形態のスラブの構築方法を示し、（１）は上下の定着具で軽量材を型枠に定着した断面図、（２）および（３）は上下の定着具の断面図、（４）は（１）の平面図、（５）は型枠内にコンクリートを打設した断面図である。
【図３】（１）および（２）は上部定着具の断面図である。
【図４】（１）および（２）は上部定着具の断面図である。
【図５】第３の実施の形態のスラブの構築方法を示し、（１）は上下の定着具で軽量材を型枠に定着した断面図、（２）および（３）は上下の定着具の断面図、（４）は型枠内にコンクリートを打設した断面図である。
【図６】吊り天井の構築方法の断面図である。
【図７】（１）は従来のスラブの構築方法の断面図、（２）は止め金具の断面図である。
【符号の説明】
１  スラブ型枠
２  堰板
３  定着具
４  リング
５  ナット
６  蝶ボルト
７  座金
８  スペーサー
９、３８  下部スラブ筋
１０、３９  格子部
１１、３４  軽量材
１２、３７  上部スラブ筋
１３  番線
１４、３６  コンクリート
１５、３５  スラブ
１６、３２  下部定着具
１７  長ナット
１９  連結ボルト
２０  上部定着具
２１  チャンネル材
２２  ボルト挿入孔
２３  六角ナット
２４  吊り治具
２５  吊り天井
２６  鉄筋
２７、２９  押圧板
２８  補強板
３０  コーン
３１  締付具
３３  セパレーター
３３ａ  根太または端太材
３３ｂ  端太材押さえ金物
４０  止め金物
【図１】
0004185677.tif 000002
【図２】
0004185677.tif 000003
【図３】
0004185677.tif 000004
【図４】
0004185677.tif 000005
【図５】
0004185677.tif 000006
【図６】
0004185677.tif 000007
【図７】
0004185677.tif 000008